(57)【要約】      （修正有）【課題】適正なセルフアライメント効果が得られる電子モジュール用基板を実現する。【解決手段】電子モジュール用基板１００は、基板本体、および、複数の端子電極を備える。基板本体は、矩形の第１主面１０１を有する。複数の端子電極は、矩形であり、複数の第１の端子電極２１１、２１２、２１３、２１４および複数の第２の端子電極２２１、２２２、２２３、２２４を備える。第１の端子電極は、基板本体の側面１１１、１１２、１１３、１１４に沿って配置される。第２の端子電極は、第１主面の角部１２１、１２２、１２３、１２４のそれぞれに配置される。側面１１１の両端の端子電極２２１、２２２は、長辺が側面１１１に対して異なる角度で配置される。側面１１３の両端の端子電極２２１、２２３は、長辺が側面１１３に対して異なる角度で配置される。【選択図】図１
0003221985.tif 000002
【実用新案登録請求の範囲】
【請求項１】
４個の辺部と、前記４個の辺部のうちの２個の前記辺部が交わって構成される４個の角部を含む矩形状の実装面を有する基板本体と、
前記実装面に配置され、矩形状の複数の端子電極と、を備え、
前記複数の端子電極は、
前記辺部に沿って配置された複数の第１端子電極と、
前記角部のそれぞれに配置された複数の第２端子電極と、
を備え、
前記複数の第１端子電極は、その短辺が前記第１端子電極に最も近接する前記辺部に平行に配置され、
前記辺部における第１辺の両端に位置する前記角部をそれぞれ第１角部、第２角部と規定したとき、前記第１角部に配置される前記第２端子電極の長辺と、前記第２角部に配置される前記第２端子電極の長辺とは、前記第１辺に対してなす角度が異なる、
電子モジュール用基板。
【請求項２】
前記第１角部に配置される前記第２端子電極の長辺と、前記第２角部に配置される前記第２端子電極の長辺とは、直交している、
請求項１に記載の電子モジュール用基板。
【請求項３】
前記第１角部に配置される前記第２端子電極の長辺は、前記第１辺に対して平行であり、前記第２角部に配置される前記第２端子電極の長辺は、前記第１辺に対して直交する、
請求項１に記載の電子モジュール用基板。
【請求項４】
前記第１角部に配置される前記第２端子電極の長辺は前記第１辺に対して、０°でなく９０°でない所定角度になるように配置され、
前記第２角部に配置される前記第２端子電極の長辺前記第１辺に対して０°でなく９０°でない所定角度になるように配置される、
請求項２に記載の電子モジュール用基板。
【請求項５】
前記複数の端子電極の配列位置よりも、前記実装面の中央側に配置された補助端子電極を備え、
前記補助端子電極の面積は、前記複数の端子電極の面積よりも大きい、
請求項１乃至請求項４のいずれかに記載の電子モジュール用基板。
【請求項６】
前記補助端子電極を平面視した形状は、正方形である、
請求項５に記載の電子モジュール用基板。
【請求項７】
前記第２端子電極の面積は、前記第１端子電極の面積よりも大きい、
請求項１乃至請求項５のいずれかに記載の電子モジュール用基板。
【考案の詳細な説明】
【技術分野】
【０００１】
本考案は、他の回路基板に実装される複数のランド電極を備える電子モジュール用基板に関する。
【背景技術】
【０００２】
特許文献１には、電子部品等が実装され回路基板が記載されている。特許文献１に記載の回路基板は、複数のランド電極を備える。複数の端子電極は、回路基板を他の回路基板に実装するための電極である。
【０００３】
複数の端子電極は、回路基板の裏面の全面に亘って、二次元配列されている。複数の端子電極は、略矩形であり、全てのランド電極は、同じ向きに配置される。同じ向きとは、全ての端子電極の長辺がそれぞれ平行であり、全ての端子電極の短辺がそれぞれに平行な状態である。
【０００４】
このような回路基板を他の回路基板に実装する場合、例えば、クリームはんだを用いれば、クリームはんだが溶融して液状になったときに生じる表面張力によって、セルフアライメント効果が生じる。このセルフアライメント効果によって、回路基板は、他の回路基板に対して正確な位置に導かれ、実装される。
【先行技術文献】
【特許文献】
【０００５】
【特許文献１】特開２００９−２３９２３９号公報
【考案の概要】
【考案が解決しようとする課題】
【０００６】
しかしながら、端子電極を長方形にした場合、セルフアライメント効果がうまく作用せず、回路基板が他の回路基板に対して、正確な位置に導かれない場合がある。
【０００７】
したがって、本考案の目的は、適正なセルフアライメント効果が得られる電子モジュール用基板を提供することにある。
【課題を解決するための手段】
【０００８】
この考案の電子モジュール用基板は、基板本体、および、複数の端子電極を備える。
【０００９】
基板本体は、４個の辺部と、４個の辺部のうちの２個の辺部が交わって構成される４個の角部を含む矩形状の実装面を有する。複数の端子電極は、矩形状であり、実装面に配置されている。複数の端子電極は、辺部に沿って配置された複数の第１端子電極と、前記角部のそれぞれに配置された複数の第２端子電極と、を備える。複数の第１端子電極は、その短辺が第１端子電極に最も近接する辺部に平行に配置されている。第１辺の両端に位置する角部をそれぞれ第１角部、第２角部と規定したとき、第１角部に配置される第２端子電極の長辺と、第２角部に配置される第２端子電極の長辺とは、第１辺に対してなす角度が異なる。
【００１０】
この構成では、実装面の四個の角部に配置された各第２端子電極に係るセルフアライメントが所定方向に偏ることが抑制される。
【考案の効果】
【００１１】
この考案の電子モジュール用基板を用いることによって、適正なセルフアライメント効果が得られる。
【図面の簡単な説明】
【００１２】
【図１】図１は、第１の実施形態に係る電子モジュール用基板の端子電極の配置パターンを示す図である。
【図２】図２は、第１の実施形態に係る電子モジュール用基板の角部の拡大図である。
【図３】図３は、電子モジュール用基板を含む電子モジュールを他の回路基板に実装した状態を示す図である。
【図４】図４は、第１の実施形態に係る電子モジュール用基板のセルフアライメントの状態を概略的に示した図である。
【図５】図５は、第２の実施形態に係る電子モジュール用基板の端子電極の配置パターンを示す図である。
【図６】図６は、第２の実施形態に係る電子モジュール用基板の１個の角部の拡大図である。
【図７】図７は、第２の実施形態に係る電子モジュール用基板のセルフアライメントの状態を概略的に示した図である。
【図８】図８は、第３の実施形態に係る電子モジュール用基板の端子電極の配置パターンを示す図である。
【図９】図９は、第４の実施形態に係る電子モジュール用基板の１個の角部の拡大図である。
【考案を実施するための形態】
【００１３】
（第１実施形態）
本考案の第１の実施形態に係る電子モジュール用基板について、図を参照して説明する。図１は、第１の実施形態に係る電子モジュール用基板の端子電極の配置パターンを示す図である。なお、図１は、電子モジュール用基板を第２主面側から第１主面側に向けて透視して端子電極を視た図である。図２は、第１の実施形態に係る電子モジュール用基板の角部の拡大図である。
【００１４】
図１に示すように、電子モジュール用基板１００は、基板本体１１０、複数の端子電極２１１、複数の端子電極２１２、複数の端子電極２１３、複数の端子電極２１４、端子電極２２１、端子電極２２２、端子電極２２３、および、端子電極２２４を備える。複数の端子電極２１１、複数の端子電極２１２、複数の端子電極２１３、および、複数の端子電極２１４が、本考案の「第１端子電極」に対応し、端子電極２２１、端子電極２２２、端子電極２２３、および、端子電極２２４が、本考案の「第２端子電極」に対応する。
【００１５】
基板本体１１０は、絶縁性を有する基材と、該基材に対して形成された電極パターンによって形成されている。基板本体１１０は、平面視において矩形である。
【００１６】
基板本体１１０は、第１主面１０１および第２主面１０２を有する。第１主面１０１と第２主面１０２とは対向する。第１主面１０１および第２主面１０２は、矩形であり、４個の辺部と４個の角部とを有する。第１主面１０１が、本考案の「実装面」に対応する。基板本体１１０は、４個の側面を有する。これらの４個の側面と第１主面１０１とが接続する辺部が、それぞれ、辺部１１１、辺部１１２、辺部１１３、および、辺部１１４となる。辺部１１１と辺部１１２とは平行であり、辺部１１３と辺部１１４とは平行である。
【００１７】
辺部１１１の一方端と辺部１１３の一方端とは、接続する。辺部１１１と辺部１１３とは直交しており、辺部１１１と辺部１１３とが接続する箇所は、角部１２１である。辺部１１１の他方端と辺部１１４の一方端とは、接続する。辺部１１１と辺部１１４とは直交しており、辺部１１１と辺部１１４とが接続する箇所は、角部１２２である。辺部１１２の一方端と辺部１１３の他方端とは、接続する。辺部１１２と辺部１１３とは直交しており、辺部１１２と辺部１１３とが接続する箇所は、角部１２３である。辺部１１２の他方端と辺部１１４の他方端とは、接続する。辺部１１２と辺部１１４とは直交しており、辺部１１２と辺部１１４とが接続する箇所は、角部１２４である。角部１２１、角部１２２、角部１２３、および角部１２４は、それぞれ、辺部と辺部とが接続する一点だけでなく、後述する端子電極２２１、端子電極２２２、端子電極２２３、および端子電極２２４が配置される箇所も含む。
辺部１１１を「第１辺部」とした場合、例えば、角部１２１が「第１角部」であり、角部１２２が「第２角部」である。辺部１１２を「第１辺部」とした場合、例えば、角部１２３が「第１角部」であり、角部１２４が「第２角部」である。辺部１１３を「第１辺部」とした場合、例えば、角部１２１が「第１角部」であり、角部１２３が「第２角部」である。辺部１１４を「第１辺部」とした場合、例えば、角部１２２が「第１角部」であり、角部１２４が「第２角部」である。
【００１８】
複数の端子電極２１１、複数の端子電極２１２、複数の端子電極２１３、複数の端子電極２１４、端子電極２２１、端子電極２２２、端子電極２２３、および、端子電極２２４は、第１主面１０１に配置される。
【００１９】
複数の端子電極２１１、複数の端子電極２１２、複数の端子電極２１３、複数の端子電極２１４、端子電極２２１、端子電極２２２、端子電極２２３、および、端子電極２２４は、平面視において矩形である。ここでの矩形とは、正確な矩形に限らず、角部が丸められたものも含む。
【００２０】
具体的には、図２に示すように、複数の端子電極２１１は、それぞれに長辺２１１１と短辺２１１２とを有する。複数の端子電極２１２は、それぞれに長辺２１２１と短辺２１２２とを有する。複数の端子電極２１３は、それぞれに長辺２１３１と短辺２１３２とを有する。複数の端子電極２１４は、それぞれに長辺２１４１と短辺２１４２とを有する。
【００２１】
端子電極２２１は、長辺２２１１と短辺２２１２とを有する。端子電極２２２は、長辺２２２１と短辺２２２２とを有する。端子電極２２３は、長辺２２３１と短辺２２３２とを有する。端子電極２２４は、長辺２２４１と短辺２２４２とを有する。
【００２２】
図１に示すように、複数の端子電極２１１は、辺部１１１の近傍に、辺部１１１に沿って、間隔を空けて配列される。この際、図２に示すように、複数の端子電極２１１は、短辺２１１２が辺部１１１に平行になるように配置される。
【００２３】
図１に示すように、複数の端子電極２１２は、辺部１１２の近傍に、辺部１１２に沿って、間隔を空けて配列される。この際、図２に示すように、複数の端子電極２１２は、短辺２１２２が辺部１１２に平行になるように配置される。
【００２４】
図１に示すように、複数の端子電極２１３は、辺部１１３の近傍に、辺部１１３に沿って、間隔を空けて配列される。この際、図２に示すように、複数の端子電極２１３は、短辺２１３２が辺部１１３に平行になるように配置される。
【００２５】
図１に示すように、複数の端子電極２１４は、辺部１１４の近傍に、辺部１１４に沿って、間隔を空けて配列される。この際、図２に示すように、複数の端子電極２１４は、短辺２１４２が辺部１１４に平行になるように配置される。
【００２６】
複数の端子電極２１１、複数の端子電極２１２、複数の端子電極２１３、複数の端子電極２１４がこのような形状および配置であることによって、電子モジュール用基板１００は、決められた面積において、より多くの端子電極を配置できる。
【００２７】
図１、図２に示すように、端子電極２２１は、角部１２１に配置される。この際、端子電極２２１は、角部１２１に最も近い端子電極２１１および端子電極２１３よりも角部１２１を形成する角に近い位置に配置される。端子電極２２１の長辺２２１１は、辺部１１１に平行であり、端子電極２２１の短辺２２１２は、辺部１１３に平行である。
【００２８】
図１、図２に示すように、端子電極２２２は、角部１２２に配置される。この際、端子電極２２２は、角部１２２に最も近い端子電極２１１および端子電極２１４よりも角部１２２を形成する角に近い位置に配置される。端子電極２２２の長辺２２２１は、辺部１１４に平行であり、端子電極２２２の短辺２２２２は、辺部１１１に平行である。
【００２９】
図１、図２に示すように、端子電極２２３は、角部１２３に配置される。この際、端子電極２２３は、角部１２３に最も近い端子電極２１２および端子電極２１３よりも角部１２３を形成する角に近い位置に配置される。端子電極２２３の長辺２２３１は、辺部１１３に平行であり、端子電極２２３の短辺２２３２は、辺部１１２に平行である。
【００３０】
図１、図２に示すように、端子電極２２４は、角部１２４に配置される。この際、端子電極２２４は、角部１２４に最も近い端子電極２１２および端子電極２１４よりも角部１２４を形成する角に近い位置に配置される。端子電極２２４の長辺２２４１は、辺部１１２に平行であり、端子電極２２４の短辺２２４２は、辺部１１４に平行である。
【００３１】
この場合、辺部１１１の一方端に配置された端子電極２２１の長辺２２１１は、辺部１１１に平行である。辺部１１１の他方端に配置された端子電極２２２の長辺２２２１は、辺部１１１に直交する。すなわち、端子電極２２１と端子電極２２２とは、辺部１１１に対して異なる角度で配置される。そして、端子電極２２１の長辺２２１１と端子電極２２２の長辺２２２１とは直交している。
【００３２】
また、辺部１１２の一方端に配置された端子電極２２３の長辺２２３１は、辺部１１２に直交する。辺部１１２の他方端に配置された端子電極２２４の長辺２２４１は、辺部１１２に平行である。すなわち、端子電極２２３と端子電極２２４とは、辺部１１２に対して異なる角度で配置される。そして、端子電極２２３の長辺２２３１と端子電極２２４の長辺２２４１とは直交している。
【００３３】
また、辺部１１３の一方端に配置された端子電極２２１の長辺２２１１は、辺部１１３に直交する。辺部１１３の他方端に配置された端子電極２２３の長辺２２３１は、辺部１１３に平行である。すなわち、端子電極２２１と端子電極２２３とは、辺部１１３に対して異なる角度で配置される。そして、端子電極２２１の長辺２２１１と端子電極２２３の長辺２２３１とは直交している。
【００３４】
また、辺部１１４の一方端に配置された端子電極２２２の長辺２２２１は、辺部１１４に平行である。辺部１１４の他方端に配置された端子電極２２４の長辺２２４１は、辺部１１４に直交する。すなわち、端子電極２２２と端子電極２２４とは、辺部１１４に対して異なる角度で配置される。そして、端子電極２２２の長辺２２２１と端子電極２２４の長辺２２４１とは直交している。なお、上述の各「直交」は、９０°であることが好ましいが、例えば、９０°±１０°程度の誤差を含んでいてもよい。
【００３５】
このような構成によって、次に示すようなセルフアライメント効果が得られる。
【００３６】
図３は、電子モジュール用基板を含む電子モジュールを他の回路基板に実装した状態の一例を示す図である。図４は、第１の実施形態に係る電子モジュール用基板のセルフアライメントの状態を概略的に示した図である。
【００３７】
図３に示すように、電子モジュール用基板１００は、第２主面１０２に、実装型部品７１、実装型部品７２、および、実装型部品７３が実装されている。これら電子モジュール用基板１００、実装型部品７１、実装型部品７２、および、実装型部品７３によって、電子モジュール７０が構成される。
【００３８】
電子モジュール７０は、他の回路基板９０に実装される。他の回路基板９０は、実装面９０１を有する。図３および図４に示すように、実装面９０１には、複数の実装用電極９１１、複数の実装用電極９１２、複数の実装用電極９１３、複数の実装用電極９１４、実装用電極９２１、実装用電極９２２、実装用電極９２３、および、実装用電極９２４が配置される。複数の実装用電極９１１、複数の実装用電極９１２、複数の実装用電極９１３、複数の実装用電極９１４、実装用電極９２１、実装用電極９２２、実装用電極９２３、および、実装用電極９２４の配置パターンは、複数の端子電極２１１、複数の端子電極２１２、複数の端子電極２１３、複数の端子電極２１４、端子電極２２１、端子電極２２２、端子電極２２３、および、端子電極２２４の配置パターンに対応している。
【００３９】
電子モジュール７０は、電子モジュール用基板１００の第１主面１０１が実装面９０１に対向するように、実装される。この際、端子電極と実装用電極とは、それぞれに対向しており、対向する端子電極と実装用電極とは、はんだ８０によって接合される。例えば、図３に示す例であれば、複数の端子電極２１３は、それぞれに対向する複数の実装用電極９１３と対向しており、それぞれにはんだ８０で接合される。端子電極２２１は、実装用電極９２２に対向しており、はんだ８０で接合される。端子電極２２３は、実装用電極９２３に対向しており、はんだ８０で接合される。
【００４０】
このような構成では、まず、複数の実装用電極９１１、複数の実装用電極９１２、複数の実装用電極９１３、複数の実装用電極９１４、実装用電極９２１、実装用電極９２２、実装用電極９２３、および、実装用電極９２４に対して、クリームはんだが塗布される。次に、他の回路基板９０の実装面９０１に近接するように、電子モジュール用基板１００が配置される。この状態において、対向する実装用電極と端子電極とは、クリームはんだによって繋がる。
【００４１】
しかしながら、電子モジュール用基板１００は、他の回路基板９０に対して正確に配置されるとは限らず、位置ズレが生じることがある。例えば、図４に示すように、電子モジュール用基板１００は、他の回路基板９０への正確な実装位置に対して回転して配置されてしまう。この状態で、リフロー等を行うと、クリームはんだは溶融して液状となる。そして、はんだが液状となることによって、表面張力が発生し、電子モジュール用基板１００は、他の回路基板９０に対して回転等の移動を生じる。すなわち、電子モジュール用基板１００には、所謂、セルフアライメント効果が生じる。
【００４２】
ここで、電子モジュール用基板１００は、上述のような形状および配置の端子電極２２１、端子電極２２２、端子電極２２３、および、端子電極２２４を備えている。これにより、図４に示すように、端子電極２２１、端子電極２２２、端子電極２２３、および、端子電極２２４の部分に生じる力は、特定の方向に偏らず、互いに相殺もされない。そして、これらの力は、端子電極２２１が実装用電極９２１に対向して略全面で重なるように、端子電極２２２が実装用電極９２２に対向して略全面で重なるように、端子電極２２３が実装用電極９２３に対向して略全面で重なるように、および、端子電極２２４が実装用電極９２４に対向して略全面で重なるように作用する。
【００４３】
したがって、電子モジュール用基板１００の構成を備えることによって、より適正に電子モジュール用基板１００が移動（回転）するように、セルフアライメント効果は生じる。
【００４４】
特に、端子電極２２１、端子電極２２２、端子電極２２３、および、端子電極２２４は、電子モジュール用基板１００の角部１２１、角部１２２、角部１２３、および、角部１２４にそれぞれ配置される。電子モジュール用基板１００の角部１２１、角部１２２、角部１２３、および、角部１２４は、セルフアライメントの力が最も効果的に作用する位置である。したがって、電子モジュール用基板１００の構成を備えることによって、より有効なセルフアライメント効果が得られる。
【００４５】
また、端子電極２２１、端子電極２２２、端子電極２２３、および、端子電極２２４が、電子モジュール用基板１００の角部１２１、角部１２２、角部１２３、および、角部１２４に配置されることによって、複数の端子電極２１１、複数の端子電極２１２、複数の端子電極２１３、および、複数の端子電極２１４の配置領域を狭めることがない。したがって、電子モジュール用基板１００は、多数の端子電極を確保しながら、有効なセルフアライメント効果を得ることができる。
【００４６】
（第２実施形態）
本考案の第２の実施形態に係る電子モジュール用基板について、図を参照して説明する。図５は、第２の実施形態に係る電子モジュール用基板の端子電極の配置パターンを示す図である。図６は、第２の実施形態に係る電子モジュール用基板の１個の角部の拡大図である。
【００４７】
図５、図６に示すように、第２の実施形態に係る電子モジュール用基板１００Ａは、第１の実施形態に係る電子モジュール用基板１００に対して、端子電極２２１Ａ、端子電極２２２Ａ、端子電極２２３Ａ、および、端子電極２２４Ａを備える点で異なる。電子モジュール用基板１００Ａの他の構成は、電子モジュール用基板１００と同様であり、同様用の箇所の説明は省略する。
【００４８】
端子電極２２１Ａは、端子電極２２１と外形形状は同じである。端子電極２２１Ａは、角部１２１の近傍に配置される。端子電極２２１Ａの長辺２２１１は、角部１２１と電子モジュール用基板１００Ａの中心とを結ぶ方向に沿って配置される。端子電極２２１Ａの長辺２２１１（に平行な直線）と、端子電極２２１Ａに近い辺部１１１とは、所定の角度を有する。所定の角度とは、端子電極２２１Ａの長辺２２１１（に平行な直線）と、端子電極２２１Ａに近い辺部１１１とが成す角において、小さい方の角度（９０°以下の角度）であり、０°から９０°の間において、０°でなく、９０°でない角度である。例えば、図６に示すように、端子電極２２１Ａの長辺２２１１（に平行な直線）と、端子電極２２１Ａに近い辺部１１１とは、角度α（０°＜α＜９０°）で交わる。これに伴い、端子電極２２１Ａの長辺２２１１（に平行な直線）と、端子電極２２１Ａに近い辺部１１３とは、所定の角度（９０°−α）で交わる。
【００４９】
端子電極２２２Ａは、端子電極２２２と外形形状は同じである。端子電極２２２Ａは、角部１２２の近傍に配置される。端子電極２２２Ａの長辺２２２１は、角部１２２と電子モジュール用基板１００Ａの中心とを結ぶ方向に沿って配置される。端子電極２２２Ａの長辺２２２１（に平行な直線）と、端子電極２２２Ａに近い辺部１１１および辺部１１４とは、それぞれに所定の角度を有する。所定の角度とは、端子電極２２２Ａの長辺２２２１（に平行な直線）と、端子電極２２２Ａに近い辺部１１１または辺部１１４とが成す角において、小さい方の角度（９０°以下の角度）であり、０°から９０°の間において、０°でなく、９０°でない角度である。
【００５０】
端子電極２２３Ａは、端子電極２２３と外形形状は同じである。端子電極２２３Ａは、角部１２３の近傍に配置される。端子電極２２３Ａの長辺２２３１は、角部１２３と電子モジュール用基板１００Ａの中心とを結ぶ方向に沿って配置される。端子電極２２３Ａの長辺２２３１（に平行な直線）と、端子電極２２３Ａに近い辺部１１２および辺部１１３とは、それぞれに所定の角度を有する。所定の角度とは、端子電極２２３Ａの長辺２２３１（に平行な直線）と、端子電極２２３Ａに近い辺部１１２または辺部１１３とが成す角において、小さい方の角度（９０°以下の角度）であり、０°から９０°の間において、０°でなく、９０°でない角度である。
【００５１】
端子電極２２４Ａは、端子電極２２４と外形形状は同じである。端子電極２２４Ａは、角部１２４の近傍に配置される。端子電極２２４Ａの長辺２２４１は、角部１２４と電子モジュール用基板１００Ａの中心とを結ぶ方向に沿って配置される。端子電極２２４Ａの長辺２２４１（に平行な直線）と、端子電極２２４Ａに近い辺部１１２および辺部１１４とは、それぞれに所定の角度を有する。所定の角度とは、端子電極２２４Ａの長辺２２４１（に平行な直線）と、端子電極２２４Ａに近い辺部１１２または辺部１１４とが成す角において、小さい方の角度（９０°以下の角度）であり、０°から９０°の間において、０°でなく、９０°でない角度である。
【００５２】
このような構成では、次に示すように、セルフアライメント効果が生じる。図７は、第２の実施形態に係る電子モジュール用基板のセルフアライメントの状態を概略的に示した図である。
【００５３】
図７に示すように、電子モジュール用基板１００Ａが他の回路基板９０への正確な配置に対して回転して配置された場合、セルフアライメントを生じる力の方向、すなわち、電子モジュール用基板１００Ａが回転する方向は、端子電極２２１Ａ、端子電極２２２Ａ、端子電極２２３Ａ、および、端子電極２２４Ａの短辺に略平行な方向、言い換えれば、長辺に略直交する方向である。この場合、移動方向に存在する端子電極と実装用電極とが重ならない液状はんだが生じる領域の面積は、大きくなる。
【００５４】
これにより、セルフアライメントを生じる力は、より大きくなる。したがって、電子モジュール用基板１００Ａは、さらに効果的なセルフアライメント効果を得ることができる。
【００５５】
なお、端子電極２２１Ａの長辺２２１１と端子電極２２２Ａの長辺２２２１とは、直交することが好ましい。同様に、端子電極２２２Ａの長辺２２２１と端子電極２２４Ａの長辺２２４１とは、直交することが好ましい。端子電極２２１Ａの長辺２２１１と端子電極２２３Ａの長辺２２３１とは、直交することが好ましい。端子電極２２３Ａの長辺２２３１と端子電極２２４Ａの長辺２２４１とは、直交することが好ましい。このように、１個の辺部の両端の角部にそれぞれ配置された端子電極の長辺同士が直交することによって、上述のセルフアライメント効果は、さらに効果的に作用する。
【００５６】
（第３実施形態）
本考案の第３の実施形態に係る電子モジュール用基板について、図を参照して説明する。図８は、第３の実施形態に係る電子モジュール用基板の端子電極の配置パターンを示す図である。
【００５７】
図８に示すように、第３の実施形態に係る電子モジュール用基板１００Ｂは、第１の実施形態に係る電子モジュール用基板１００に対して、複数の補助端子電極２１５を備える点で異なる。電子モジュール用基板１００Ｂの他の構成は、電子モジュール用基板１００と同様であり、同様の箇所の説明は省略する。
【００５８】
複数の補助端子電極２１５は、電子モジュール用基板１００Ｂの第１主面１０１における、複数の端子電極２１１、複数の端子電極２１２、複数の端子電極２１３、複数の端子電極２１４、端子電極２２１、端子電極２２２、端子電極２２３、および、端子電極２２４によって形成される環状の領域の内側に、配置される。言い換えれば、複数の補助端子電極２１５は、電子モジュール用基板１００Ｂの中央領域に配置される。複数の補助端子電極２１５は、例えば、グランド電位に接続するための電極である。
【００５９】
複数の補助端子電極２１５は、辺部１１１および辺部１１２に平行な方向、辺部１１３および辺部１１４に平行な方向を直交２方向として、これらの２方向に沿って、２次元配列される。
【００６０】
複数の補助端子電極２１５は、平面視して矩形であり、略正方形である。なお、複数の補助端子電極２１５は、略正方形で無くてもよいが、略正方形である方が好ましい。略正方形であることによって、電子モジュール用基板１００Ｂの中央の領域に配置される複数の補助端子電極２１５によるセルフアライメント効果の偏りは小さくできる。
【００６１】
複数の補助端子電極２１５の面積は、複数の端子電極２１１、複数の端子電極２１２、複数の端子電極２１３、複数の端子電極２１４、端子電極２２１、端子電極２２２、端子電極２２３、および、端子電極２２４の面積よりも大きい。なお、複数の補助端子電極の面積は、他の端子電極の面積と同じであってもよいが、大きい方が好ましい。面積を大きくすることによって、セルフアライメント効果は向上する。
【００６２】
（第４実施形態）
本考案の第４の実施形態に係る電子モジュール用基板について、図を参照して説明する。図９は、第４の実施形態に係る電子モジュール用基板の１個の角部の拡大図である。
【００６３】
図９に示すように、第４の実施形態に係る電子モジュール用基板１００Ｃは、第１の実施形態に係る電子モジュール用基板１００に対して、角部に配置する端子電極の大きさにおいて異なる。電子モジュール用基板１００Ｃの他の構成は、電子モジュール用基板１００と同様であり、同様の箇所の説明は省略する。
【００６４】
図９に示すように、端子電極２２１Ｃの面積は、端子電極２１１の面積、および、端子電極２１３の面積よりも大きい。なお、図示していないが、他の角部に配置される端子電極（第２端子電極に対応する電極）の面積も、他の辺部に沿って配置される複数の端子電極（第１端子電極に対応する電極）よりも大きい。
【００６５】
このような構成によって、電子モジュール用基板１００Ｃは、セルフアライメント効果を生じる力がより大きくなり、セルフアライメント効果をさらに向上できる。
【００６６】
なお、上述の各実施形態の構成は、適宜組み合わせることが可能であり、それぞれの組合せに応じた作用効果を奏することができる。
【符号の説明】
【００６７】
７０：電子モジュール
７１、７２、７３：実装型部品
９０：他の回路基板
１００、１００Ａ、１００Ｂ、１００Ｃ：電子モジュール用基板
１０１：第１主面
１０２：第２主面
１１０：基板本体
１１１、１１２、１１３、１１４：辺部
１２１、１２２、１２３、１２４：角部
２１１、２１２、２１３、２１４：端子電極
２１５：補助端子電極
２２１、２２１Ａ、２２１Ｃ、２２２、２２２Ａ、２２３、２２３Ａ、２２４、２２４Ａ：端子電極
９０１：実装面
９１１、９１２、９１３、９１４、９２１、９２２、９２３、９２４：実装用電極
【図１】
0003221985.tif 000003
【図２】
0003221985.tif 000004
【図３】
0003221985.tif 000005
【図４】
0003221985.tif 000006
【図５】
0003221985.tif 000007
【図６】
0003221985.tif 000008
【図７】
0003221985.tif 000009
【図８】
0003221985.tif 000010
【図９】
0003221985.tif 000011
【手続補正書】
【提出日】平成31年4月26日(2019.4.26)
【手続補正１】
【補正対象書類名】実用新案登録請求の範囲
【補正対象項目名】全文
【補正方法】変更
【補正の内容】
【実用新案登録請求の範囲】
【請求項１】
４個の辺部と、前記４個の辺部のうちの２個の前記辺部が交わって構成される４個の角部を含む矩形状の実装面を有する基板本体と、
前記実装面に配置され、矩形状の複数の端子電極と、を備え、
前記複数の端子電極は、
前記辺部に沿って配置された複数の第１端子電極と、
前記角部のそれぞれに配置された複数の第２端子電極と、
を備え、
前記複数の第１端子電極は、その短辺が前記第１端子電極に最も近接する前記辺部に平行に配置され、
前記辺部における第１辺の両端に位置する前記角部をそれぞれ第１角部、第２角部と規定したとき、前記第１角部に配置される前記第２端子電極の長辺と、前記第２角部に配置される前記第２端子電極の長辺とは、前記第１辺に対してなす角度が異なる、
電子モジュール用基板。
【請求項２】
前記第１角部に配置される前記第２端子電極の長辺と、前記第２角部に配置される前記第２端子電極の長辺とは、直交している、
請求項１に記載の電子モジュール用基板。
【請求項３】
前記第１角部に配置される前記第２端子電極の長辺は、前記第１辺に対して平行であり、前記第２角部に配置される前記第２端子電極の長辺は、前記第１辺に対して直交する、
請求項１に記載の電子モジュール用基板。
【請求項４】
前記第１角部に配置される前記第２端子電極の長辺は前記第１辺に対して、０°でなく９０°でない所定角度になるように配置され、
前記第２角部に配置される前記第２端子電極の長辺は前記第１辺に対して０°でなく９０°でない所定角度になるように配置される、
請求項２に記載の電子モジュール用基板。
【請求項５】
前記複数の端子電極の配列位置よりも、前記実装面の中央側に配置された補助端子電極を備え、
前記補助端子電極の面積は、前記複数の端子電極の面積よりも大きい、
請求項１乃至請求項４のいずれかに記載の電子モジュール用基板。
【請求項６】
前記補助端子電極を平面視した形状は、正方形である、
請求項５に記載の電子モジュール用基板。
【請求項７】
前記第２端子電極の面積は、前記第１端子電極の面積よりも大きい、
請求項１乃至請求項５のいずれかに記載の電子モジュール用基板。